(57)【要約】【課題】ＩＰ回線を収容する電話装置において、回線の使用状況を適切に表示できるようにする。【解決手段】電話機２が、ＩＰ回線および電話回線の使用状況を区別可能なように表示する表示器６４Ａ〜６４Ｆを有し、電話制御装置が、ＩＰ回線および電話回線の使用状況を検出し、この使用状況を表示器６４Ａ〜６４Ｆに表示させる制御を行なう表示制御手段を有する。表示制御手段は、ＩＰ回線または電話回線を捕捉した電話機とそれ以外の電話機とを区別可能なように表示させるようにしてもよい。【選択図】　　　　図３
2004096465.tif 000002
【特許請求の範囲】
【請求項１】
ＩＰネットワークに接続されるＩＰ回線および電話網に接続される電話回線を収容する電話制御装置と、この電話制御装置に接続される電話機とからなる電話システムにおいて、
前記電話機は、前記ＩＰ回線および前記電話回線の使用状況を区別可能なように表示する表示器を有し、
前記電話制御装置は、前記ＩＰ回線および前記電話回線の使用状況を検出し、この使用状況を前記表示器に表示させる制御を行なう表示制御手段を有する
ことを特徴とする電話システム。
【請求項２】
請求項１に記載された電話システムにおいて、
前記表示制御手段は、前記ＩＰ回線または前記電話回線を捕捉した電話機とそれ以外の電話機とを区別可能なように表示させることを特徴とする電話システム。
【請求項３】
ＩＰネットワークに接続されるＩＰ回線を収容する電話制御装置と、この電話制御装置に接続される電話機とからなる電話システムにおいて、
前記電話機は、前記ＩＰ回線を介して音声パケットを任意のアドレスに送受信するチャネルが捕捉可能か否かを表示する表示器を有し、
前記電話制御装置は、前記ＩＰ回線の使用状況を基に捕捉可能なチャネルがあるか否かを判定する判定手段と、
この判定手段による判定結果に応じて前記表示器の表示を制御する表示制御手段とを有する
ことを特徴とする電話システム。
【請求項４】
ＩＰネットワークに接続されるＩＰ回線を収容する電話制御装置と、この電話制御装置に接続される電話機とからなる電話システムにおいて、
前記電話機は、前記ＩＰ回線を介して音声パケットを任意のアドレスに送受信するチャネルの使用中のチャネル数または捕捉可能なチャネル数を表示する表示器を有し、
前記電話制御装置は、前記ＩＰ回線の使用状況を基に使用中のチャネル数または捕捉可能なチャネル数を求めるチャネル数検出手段と、
このチャネル数検出手段により得られたチャネル数に基づき前記表示器の表示を制御する表示制御手段とを有する
ことを特徴とする電話システム。
【請求項５】
ＩＰネットワークに接続されるＩＰ回線および電話網に接続される電話回線を収容するとともに電話機に接続される電話制御装置のコンピュータに、
前記ＩＰ回線および前記電話回線の使用状況を検出する回線使用状況検出機能と、
検出された前記ＩＰ回線および前記電話回線の使用状況を区別可能なように前記電話機が有する表示器に表示させる制御を行なう表示制御機能と
を実現させるためのプログラム。
【請求項６】
ＩＰネットワークに接続されるＩＰ回線を収容するとともに電話機に接続される電話制御装置のコンピュータに、
前記ＩＰ回線の使用状況を基に前記ＩＰ回線を介して音声パケットを任意のアドレスに送受信するチャネルの中で捕捉可能なチャネルがあるか否かを判定する判定機能と、
この判定機能による判定結果に応じて、前記電話機が有するチャネルが捕捉可能か否かを表示する表示器を制御する表示制御機能と
を実現させるためのプログラム。
【請求項７】
ＩＰネットワークに接続されるＩＰ回線を収容するとともに電話機に接続される電話制御装置のコンピュータに、
前記ＩＰ回線の使用状況を基に前記ＩＰ回線を介して音声パケットを任意のアドレスに送受信するチャネルの使用中のチャネル数または捕捉可能なチャネル数を求めるチャネル数検出機能と、
このチャネル数検出機能により得られたチャネル数に基づき、前記電話機が有する使用中のチャネル数または捕捉可能なチャネル数を表示する表示器を制御する表示制御機能と
を実現させるためのプログラム。
【発明の詳細な説明】
【０００１】
【発明の属する技術分野】
本発明は、電話システムに関し、特に、少なくともＩＰ（Ｉｎｔｅｒｎｅｔ　Ｐｒｏｔｏｃｏｌ）ネットワークを利用したＩＰ回線を収容する電話システムに関する。
【０００２】
【従来の技術】
電話システムは電話制御装置と少なくとも一つの電話機とからなる。複数の電話機を有する場合には、電話制御装置が収容する回線（外線）と電話機との接続を制御することにより、複数の利用者が同時に通話することができる。このような電話システムには、電話網を介する通話を行なうものに加えて、近年のＩＰ技術の発展に伴ってＩＰネットワークを介する通話を行なうものが広く普及しつつある。
【０００３】
電話網を介して通話を行なう電話システムの電話機には通常、電話網に接続される電話回線の捕捉操作を行なうための回線捕捉キーと、その電話回線の使用状況を表示する回線表示ランプとが、複数の電話回線のそれぞれに対応して設けられている。未使用の電話回線に対応する回線捕捉キーを押下すれば、この捕捉操作を検出した電話制御装置がその電話回線を捕捉する。このとき、捕捉操作を行なった電話機では、捕捉された回線に対応する回線表示ランプを緑色に点灯して捕捉が成功したことを知らせる一方で、その他の電話機では、その回線に対応する回線表示ランプを赤色に点灯してその電話回線が使用中であることを知らせるようになっている。
【０００４】
これに対し、ＩＰネットワークを介して通話を行なう電話システムでは、電話機に回線捕捉キーおよび回線表示ランプを設けたものは提案されていないが、ＩＰネットワークに接続されるＩＰ回線の使用状況が分かれば便利である。また、電話網を介する通話とＩＰネットワークを介する通話の両方式を利用できる電話システムにおいては、それぞれの方式に音声品質と通話料について一長一短があることから、発信時にどちらの方式を使うかを利用者が選択する際には、電話回線およびＩＰ回線の両回線の使用状況について何らかの表示が欠かせない。両回線の使用状況を表示するには、電話回線毎に設けられる回線表示ランプにならって、ＩＰ回線を介して音声パケットを送受信する各チャネル毎に表示ランプを電話機に別個に設ける構成が考えられる。
【０００５】
【発明が解決しようとする課題】
しかしながら、単にＩＰ回線のチャネル毎に表示ランプを設けると、ＩＰ回線に多くのチャネルを設定可能な場合に、それに対応した多くの表示ランプが必要となり、電話機に表示ランプの設置スペースを広くとらなければならなくなるため、現実的ではない。また、複数の電話回線やＩＰ回線の複数のチャネルをそれらより少ない表示ランプに割り付けて、それらの使用状況を適切に表示することができないという問題がある。
本発明はこのような課題を解決するためになされたものであり、その目的は、ＩＰ回線を収容する電話装置において、回線の使用状況を適切に表示できるようにすることにある。
【０００６】
【課題を解決するための手段】
このような目的を達成するために、本発明の電話システムは、ＩＰネットワークに接続されるＩＰ回線および電話網に接続される電話回線を収容する電話制御装置と、この電話制御装置に接続される電話機とからなる電話システムであって、電話機が、ＩＰ回線および電話回線の使用状況を区別可能なように表示する表示器を有し、電話制御装置が、ＩＰ回線および電話回線の使用状況を検出し、この使用状況を表示器に表示させる制御を行なう表示制御手段を有することを特徴とする。
この電話システムにおいて、表示制御手段は、ＩＰ回線または電話回線を捕捉した電話機とそれ以外の電話機とを区別可能なように表示させるようにしてもよい。
【０００７】
また、本発明の電話システムは、ＩＰネットワークに接続されるＩＰ回線を収容する電話制御装置と、この電話制御装置に接続される電話機とからなる電話システムであって、電話機が、ＩＰ回線を介して音声パケットを任意のアドレスに送受信するチャネルが捕捉可能か否かを表示する表示器を有し、電話制御装置が、ＩＰ回線の使用状況を基に捕捉可能なチャネルがあるか否かを判定する判定手段と、この判定手段による判定結果に応じて表示器の表示を制御する表示制御手段とを有することを特徴とする。
【０００８】
また、本発明の電話システムは、ＩＰネットワークに接続されるＩＰ回線を収容する電話制御装置と、この電話制御装置に接続される電話機とからなる電話システムにであって、電話機が、ＩＰ回線を介して音声パケットを任意のアドレスに送受信するチャネルの使用中のチャネル数または捕捉可能なチャネル数を表示する表示器を有し、電話制御装置が、ＩＰ回線の使用状況を基に使用中のチャネル数または捕捉可能なチャネル数を求めるチャネル数検出手段と、このチャネル数検出手段により得られたチャネル数に基づき表示器の表示を制御する表示制御手段とを有することを特徴とする。
【０００９】
また、本発明のプログラムは、ＩＰネットワークに接続されるＩＰ回線および電話網に接続される電話回線を収容するとともに電話機に接続される電話制御装置のコンピュータに、ＩＰ回線および電話回線の使用状況を検出する回線使用状況検出機能と、検出されたＩＰ回線および電話回線の使用状況を区別可能なように電話機が有する表示器に表示させる制御を行なう表示制御機能とを実現させるためのプログラムである。
【００１０】
また、本発明のプログラムは、ＩＰネットワークに接続されるＩＰ回線を収容するとともに電話機に接続される電話制御装置のコンピュータに、ＩＰ回線の使用状況を基にＩＰ回線を介して音声パケットを任意のアドレスに送受信するチャネルの中で捕捉可能なチャネルがあるか否かを判定する判定機能と、この判定機能による判定結果に応じて、電話機が有するチャネルが捕捉可能か否かを表示する表示器を制御する表示制御機能とを実現させるためのプログラムである。
【００１１】
また、本発明のプログラムは、ＩＰネットワークに接続されるＩＰ回線を収容するとともに電話機に接続される電話制御装置のコンピュータに、ＩＰ回線の使用状況を基にＩＰ回線を介して音声パケットを任意のアドレスに送受信するチャネルの使用中のチャネル数または捕捉可能なチャネル数を求めるチャネル数検出機能と、このチャネル数検出機能により得られたチャネル数に基づき、電話機が有する使用中のチャネル数または捕捉可能なチャネル数を表示する表示器を制御する表示制御機能とを実現させるためのプログラムである。
【００１２】
【発明の実施の形態】
以下、図面を参照し、本発明の実施の形態について詳細に説明する。
【００１３】
（第１の実施の形態）
図１は、本発明の第１の実施の形態に係る電話システムの全体構成を示すブロック図である。
この電話システムは、複数の電話機２と、これらの電話機２と収容回線との接続を制御する電話制御装置１とから構成されている。
電話制御装置１は、電話網接続部１１、スイッチ１２、電話機接続部１３、データ／音声変換部１４、ＩＰネットワーク接続部１５、制御部１６および記憶部１７を有している。
【００１４】
ここに電話網接続部１１は、図示しない電話交換機を介して公衆電話網などの電話網３に接続される複数本の電話回線３０を終端制御するものであり、電話網３との着信・発信処理を行なう。
スイッチ１２は、電話網接続部１１、電話機接続部１３、データ／音声変換部１４の各パスを相互に交換接続する。
電話機接続部１３は、内線伝送路２０を介して電話機２を接続する。
データ／音声変換部１４は、ＩＰネットワーク接続部１５側の音声パケットとスイッチ１２側の音声データとを相互変換する。
【００１５】
ＩＰネットワーク接続部１５は、図示しないゲートウェイ装置を介してインターネットなどのＩＰネットワーク４に接続されるＩＰ回線４０を終端制御するものであり、ＩＰネットワーク４との着信・発信処理を行なう。なお、ＩＰ回線４０は物理的には１本の回線であるが、音声パケットをインターネットプロトコル（ＩＰ）にしたがって送受信することにより、複数のチャネルを設定可能である。このようなＩＰ上での音声パケットを用いた音声通話（Ｖｏｉｃｅ　ｏｖｅｒ　ＩＰ：ＶｏＩＰ）において、設定可能なチャネル数はＩＰ回線４０のトラフィックに依存する。
【００１６】
制御部１６は、ＣＰＵなどのマイクロプロセッサとその周辺回路とからなるコンピュータを有し、所定のプログラム１８を実行することにより電話制御装置１の各部を制御する。
記憶部１７は、制御部１６で実行されるプログラム１８や、制御部１６による制御に必要な各種データを記憶する。
また、制御部１６のコンピュータとプログラムとを協働させることにより、電話回線３０およびＩＰ回線４０の使用状況を検出する回線使用状況検出機能と、検出された回線の使用状況を電話機２が有する回線ランプに表示させる制御を行なう表示制御機能と、電話機２の捕捉操作を検出すると回線の捕捉を行なう回線捕捉機能とを少なくとも実現する。ここに表示制御機能には、電話回線３０の使用状況とＩＰ回線４０の使用状況とを区別可能なように表示させる機能と、電話回線３０またはＩＰ回線４０を捕捉した電話機とそれ以外の電話機とを区別可能なように表示させる機能とが含まれる。
【００１７】
電話機２が電話網３を介して通話を行なう場合には、制御部１６により、スイッチ１２を介して電話網接続部１１と電話機接続部１３とのパスが接続される。そして、電話網３側からの音声信号は、電話網接続部１１で音声データへ変換され、スイッチ１２、電話機接続部１３および内線伝送路２０を介して電話機２へ送信される。また、電話機２からの音声データは、内線伝送路２０、電話機接続部１３およびスイッチ１２を介して電話網接続部１１へ入力され、ここで音声信号へ変換されて電話網３側へ送信される。
【００１８】
また、電話機２がＩＰネットワーク４を介して通話を行なう場合には、制御部１６により、スイッチ１２を介してデータ／音声変換部１４と電話機接続部１３とのパスが接続される。そして、ＩＰネットワーク４側からの音声パケットは、ＩＰネットワーク接続部１５を介してデータ／音声変換部１４に入力されて音声データへ変換され、この音声データがスイッチ１２、電話機接続部１３および内線伝送路２０を介して電話機２へ送信される。また、電話機２からの音声データは、内線伝送路２０、電話機接続部１３およびスイッチ１２を介してデータ／音声変換部１４へ入力されて音声パケットへ変換され、この音声パケットがＩＰネットワーク接続部１５からＩＰネットワーク４側へ送信される。
【００１９】
図２は、電話機２の構成を示すブロック図である。
電話機２は、データ伝送部２１、音声処理部２２、ハンドセット２３、ブザー２４、電話機制御部２５、記憶部２６、操作部２８および表示部２９を有している。
ここにデータ伝送部２１は、内線伝送路２０を介して電話制御装置１と音声データおよびキー情報などの制御データの送受信を行なう。
音声処理部２２は、データ伝送部２１で受信された音声データを音声信号に復号化してハンドセット２３のスピーカから出力するとともに、ハンドセット２３のマイクから入力された音声信号を音声データに符号化してデータ伝送部２１へ出力する。
ブザー２４は、着信音などの各種信号音を出力する。
【００２０】
電話機制御部２５は、ＣＰＵなどのマイクロプロセッサとその周辺回路とからなり、所定のプログラム２７を実行することにより電話機２の各部を制御する。
記憶部２６は、ＲＯＭやＲＡＭとその周辺回路とからなり、電話機制御部２５で実行されるプログラム２７や、電話機制御部２５による制御に必要な各種データを記憶する。
操作部２８は、利用者が電話システムに対して各種操作を行なうためのキーを有している。
表示部２９は、各種情報を表示する。
【００２１】
操作部２８および表示部２９の構成について、図３を参照して更に説明する。図３は、電話機２の外観の一例を示す平面図であり、（ａ）は全体図、（ｂ）は部分拡大図である。
操作部２８は、少なくとも図３（ａ）に示すダイヤルキー６２および回線捕捉キー６３を有している。ここに回線捕捉キー６３は、図３（ｂ）に示すような複数の回線捕捉キー６３Ａ，６３Ｂ，６３Ｃ，６３Ｄ，６３Ｅ，６３Ｆの集合体であり、回線捕捉キー６３Ａ〜６３Ｆのいずれかで捕捉操作を行なうことにより、そのキーに割り付けられた回線の捕捉を要求することができる。
【００２２】
回線捕捉キー６３Ａ〜６３Ｆの一つひとつには、電話制御装置１に収容される電話回線３０の一回線とＩＰ回線４０の一つのチャネルが割り付けられている。つまり、電話回線３０の捕捉操作とＩＰ回線４０の捕捉操作の両方が、同一の回線捕捉キーで行われる。ただし、電話回線３０の捕捉操作とＩＰ回線４０の捕捉操作とは、回線捕捉キーを押下するパターンで区別される。その一例として、回線捕捉キーを一回押下したら電話回線３０の捕捉操作、続けて二回押下したらＩＰ回線４０の捕捉操作としてもよい。この例で、電話回線３０が使用中の状態で回線捕捉キーを一回押下したら、ＩＰ回線４０の捕捉操作としてもよい。
【００２３】
表示部２９は、少なくとも図３（ａ）に示す液晶ディスプレイ６１および図３（ｂ）に示す回線ランプ（表示器）６４Ａ，６４Ｂ，６４Ｃ，６４Ｄ，６４Ｅ，６４Ｆを有している。ここに回線ランプ６４Ａ〜６４Ｆは、それぞれ回線捕捉キー６３Ａ〜６３Ｆに対応して設けられ、それぞれ対応する回線捕捉キー６３Ａ〜６３Ｆに割り付けられた回線の使用状況を表示する。より具体的に言えば、電話回線３０の使用状況とＩＰ回線４０の使用状況とを区別可能なように表示するとともに、回線を捕捉した電話機２がその電話機（自機）であるか他の電話機（他機）であるかを区別可能なように表示する。
【００２４】
回線ランプ６４Ａ〜６４Ｆは、ランプの発光色の切り換え、点灯状態の切り換え、またはこれらの組合せにより、上述した複数種類の回線の使用状況を表示する。例えば、回線ランプ６４Ａ〜６４Ｆのそれぞれを赤・緑・黄の三色で発光するＬＥＤで形成し、三色のＬＥＤを電話機制御部２５で消灯、点灯および点滅させることにより、図４に示すような回線の使用表示か可能になる。この例では、回線ランプの消灯は電話回線３０とＩＰ回線４０の両方が未使用であること、赤点灯は自機による電話回線３０の捕捉成功（その回線ランプに割り付けられたＩＰ回線４０のチャネルが他機に使用されているか否かによらない）、緑点灯は自機によるＩＰ回線４０の捕捉成功（その回線ランプに割り付けられた電話回線が他機に使用されているか否かによらない）、赤点滅は他機により電話回線３０が使用中であること、緑点滅は他機によりＩＰ回線４０が使用中であること、黄点滅は他機により電話回線３０とＩＰ回線４０の両方が使用中であることをそれぞれ表している。なお、回線の使用状況の表示方法はこれに限られるものではなく、例えばランプの発光色の階調を変更したり、ランプの点滅周期を変更するなどして、回線の使用状況を区別するようにしてもよい。
【００２５】
次に、図５〜図９を参照し、本実施の形態に係る電話システムの動作について説明する。図５は、電話回線３０を使用する場合の捕捉操作を説明するための図であり、図６および図７は、ＩＰ回線４０を使用する場合の捕捉操作を説明するための図である。また、図８および図９は、回線の捕捉からその切断までの一連の動作の流れを示すフローチャートである。
まず、電話回線３０を使用する場合について説明する。
電話機２の回線ランプ６４Ａ〜６４Ｆの表示が図５（ａ）のようになっているとき、回線捕捉キー６３Ｃ〜６３Ｆに割り付けられた電話回線が使用可能である。ここで電話機２の回線捕捉キー６３Ｃを一回押下すると（図８：ステップ１０１）、この捕捉操作を電話機制御部２５が検出し、回線捕捉キー６３Ｃに割り付けられた回線の捕捉要求を電話制御装置１へ送信する。
【００２６】
この回線の捕捉要求を受信した電話制御装置１では、制御部１６が記憶部１７にアクセスし、回線捕捉キー６３Ｃに割り付けられた電話回線の使用状況を調べる。その結果、その電話回線が使用中でない場合（図８：ステップ１０２，ＮＯ）、スイッチ１２を制御し、その電話回線を捕捉する（図８：ステップ１０３）。
ここで制御部１６は記憶部１７に再度アクセスし、捕捉した電話回線に関する記録を更新するとともに、捕捉操作を行なった電話機（以下、操作電話機という）２の回線捕捉キー６３Ｃに割り付けられたＩＰ回線４０のチャネルの使用状況を調べる。その結果、そのチャネルが使用中でない場合（図８：ステップ１０４，ＮＯ）、操作電話機２に対して電話回線の捕捉成功を表示する旨の捕捉成功表示信号を送信するとともに、その他の電話機２に対してその電話回線が使用中であることを表示する旨の電話回線使用中表示信号を送信する。
【００２７】
電話制御装置１から捕捉成功表示信号を受信した操作電話機２では、電話機制御部２５の制御により、回線捕捉キー６３Ｃに対応する回線ランプ６４Ｃを赤色に点灯させ、電話回線の捕捉に成功したことを表示する。その一方、電話制御装置１から電話回線使用中表示信号を受信した他の電話機２では、やはり電話機制御部２５の制御により、捕捉された電話回線に対応する回線ランプを赤色に点滅させ、その電話回線が使用中であることを表示する（図８：ステップ１０５）。
【００２８】
これに対し、ステップ１０４において、操作電話機２の回線捕捉キー６３Ｃに割り付けられたＩＰ回線４０のチャネルが使用中である場合（図８：ステップ１０４，ＹＥＳ）、電話機制御装置１では、操作電話機２に対して捕捉成功表示信号を送信するとともに、そのチャネルを使用中の電話機２を除くその他の電話機２に対しては、電話回線とＩＰ回線４０のチャネルの両方が使用中であることを表示する旨の両回線使用中表示信号を送信する。
電話制御装置１から捕捉成功表示信号を受信した操作電話機２では、電話機制御部２５の制御により、回線捕捉キー６３Ｃに対応する回線ランプ６４Ｃを赤色に点灯させ、電話回線の捕捉に成功したことを表示する。その一方、電話制御装置１から両回線使用中表示信号を受信した他の電話機２では、やはり電話機制御部２５の制御により、捕捉された電話回線に対応する回線ランプを黄色に点滅させ、その回線ランプに対応する回線捕捉キーに割り付けられた電話回線およびＩＰ回線４０のチャネルの両方が使用中であることを表示する（図８：ステップ１１２）。
【００２９】
ステップ１０５の後、操作電話機２の回線捕捉キー６３Ｃを続けて押下せず（図８：ステップ１０６，ＮＯ）、捕捉された電話回線を介して通話が行われたとする（図８：ステップ１０７）。
操作電話機２でのオンフックによる終話要求を電話制御装置１で受信すると（図８：ステップ１０８，ＹＥＳ）、電話制御装置１では制御部１６がスイッチ１２を制御し、捕捉されている電話回線を切断する（図８：ステップ１０９）。そして、記録部１７にアクセスし、切断した電話回線に関する記録を更新するとともに、操作電話機２の回線捕捉キー６３Ｃに割り付けられたＩＰ回線４０のチャネルの使用状況を調べる。その結果、そのチャネルが使用中でない場合（図８：ステップ１１０，ＮＯ）、すべての電話機２に対して電話回線およびＩＰ回線４０のチャネルの両方が未使用であることを表示する旨の未使用表示信号を送信する。
【００３０】
電話制御装置１から未使用表示信号を受信したすべての電話機２では、電話機制御部２５の制御により、切断された電話回線に対応する回線ランプ６４Ｃを消灯させ、電話回線およびＩＰ回線４０のチャネルの両方が未使用であることを表示して（図８：ステップ１１１）、一連の表示制御を終了する。
【００３１】
これに対し、ステップ１１０において、操作電話機２の回線捕捉キー６３Ｃに割り付けられたＩＰ回線４０のチャネルが使用中である場合（図８：ステップ１１０，ＹＥＳ）、電話機制御装置１では、そのチャネルを使用中の電話機２を除くすべての電話機２に対して、そのチャネルが使用中であることを表示する旨のＩＰ回線使用中表示信号を送信する。
電話制御装置１からＩＰ回線使用中表示信号を受信した電話機２では、電話機制御部２５の制御により、そのチャネルに対応する回線ランプを緑色に点滅させ、そのチャネルが使用中であることを表示して（図８：ステップ１１３）、一連の表示制御を終了する。
【００３２】
次に、ＩＰ回線４０を使用する場合について説明する。ＩＰ回線４０の捕捉操作には、電話回線およびＩＰ回線４０のチャネルの両方が未使用の回線捕捉キーを二回続けて押下するものと、電話回線が使用中でＩＰ回線４０のチャネルのみが未使用の回線捕捉キーを一回だけ押下するものとがある。まずは、前者の捕捉操作を行なったときの動作から説明する。
電話機２の回線ランプ６４Ａ〜６４Ｆの表示が図６（ａ）のようになっているとき、回線捕捉キー６３Ｂ〜６３Ｄ，６３Ｆに割り付けられたＩＰ回線４０のチャネルが使用可能である。ここで、電話回線およびＩＰ回線４０のチャネルの両方が未使用の回線捕捉キー６３Ｂを二回続けて押下する。回線捕捉キー６３Ｂを一回押下した時点で、この回線捕捉キー６３Ｂに対応する回線ランプ６４Ｂが図６（ｂ）に示すように赤色に点灯し、電話回線の捕捉が表示されるまでの動作は、上述したステップ１０１〜１０５と同じである。
【００３３】
回線捕捉キー６３Ｂの二回目の押下により（図８：ステップ１０６，ＹＥＳ）、この捕捉操作を検出した電話機２の電話機制御部２５が、回線捕捉キー６３Ｂに割り付けられた回線の捕捉要求を電話制御装置１へ送信する。
この回線の捕捉要求を受信した電話制御装置１では、制御部１６がスイッチ１２を制御し、捕捉されている電話回線を切断し（図９：ステップ１２１）、回線捕捉キー６３Ｂに割り付けられたＩＰ回線４０のチャネルを捕捉する（図９：ステップ１２２）。そして、記憶部１７にアクセスし、切断した電話回線および捕捉したチャネルに関する記録を更新する。さらに、操作電話機２に対してＩＰ回線４０のチャネルの捕捉成功を表示する旨の捕捉成功表示信号を送信するとともに、その他の電話機２に対してそのチャネルが使用中であることを表示する旨のＩＰ回線使用中表示信号を送信する。
【００３４】
電話制御装置１から捕捉成功表示信号を受信した操作電話機２では、電話機制御部２５の制御により、回線捕捉キー６３Ｂに対応する回線ランプ６４Ｂを図６（ｃ）に示すように緑色に点灯させ、ＩＰ回線４０のチャネルの捕捉に成功したことを表示する。その一方、電話制御装置１からＩＰ回線使用中表示信号を受信した他の電話機２では、やはり電話機制御部２５の制御により、捕捉されたチャネルに対応する回線ランプを緑色に点滅させ、そのチャネルが使用中であることを表示する（図９：ステップ１２３）。
【００３５】
その後、捕捉されたＩＰ回線４０のチャネルを介して通話が行われたとする（図９：ステップ１２４）。
操作電話機２でのオンフックによる終話要求を電話制御装置１で受信すると（図９：ステップ１２５，ＹＥＳ）、電話制御装置１では制御部１６がスイッチ１２を制御し、捕捉されているチャネルを切断する（図９：ステップ１２６）。そして、記録部１７にアクセスし、切断したチャネルに関する記録を更新するとともに、操作電話機２の回線捕捉キー６３Ｂに割り付けられた電話回線の使用状況を調べる。その結果、その電話回線が使用中でない場合（図９：ステップ１２７，ＮＯ）、すべての電話機２に対して電話回線およびＩＰ回線４０のチャネルの両方が未使用であることを表示する旨の未使用表示信号を送信する。
【００３６】
電話制御装置１から未使用表示信号を受信したすべての電話機２では、電話機制御部２５の制御により、切断されたＩＰ回線４０のチャネルに対応する回線ランプ６４Ｂを消灯させ、電話回線およびＩＰ回線４０のチャネルの両方が未使用であることを表示して（図９：ステップ１２８）、一連の表示制御を終了する。
【００３７】
一方、ステップ１２７において、操作電話機２の回線捕捉キー６３Ｂに割り付けられた電話回線が使用中である場合（図９：ステップ１２７，ＹＥＳ）、電話機制御装置１では、その電話回線を使用中の電話機２を除くすべての電話機２に対して、その電話回線が使用中であることを表示する旨の電話回線使用中表示信号を送信する。
電話制御装置１から電話回線使用中表示信号を受信した電話機２では、電話機制御部２５の制御により、その電話回線に対応する回線ランプを赤色に点滅させ、その電話回線が使用中であることを表示して（図９：ステップ１２９）、一連の表示制御を終了する。
【００３８】
次に、上述したもう一つのＩＰ回線の捕捉操作を行なったときの動作について説明する。
電話機２の回線ランプ６４Ａ〜６４Ｆの表示が図７（ａ）のようになっているとき、回線捕捉キー６３Ｂ〜６３Ｄ，６３Ｆに割り付けられたＩＰ回線４０のチャネルが使用可能である。ここで、電話回線が使用中でＩＰ回線４０のチャネルのみが未使用の回線捕捉キー６３Ｃを一回だけ押下すると（図８：ステップ１０１）、この捕捉操作を電話機制御部２５が検出し、回線捕捉キー６３Ｃに割り付けられた回線の捕捉要求を電話制御装置１へ送信する。
【００３９】
この回線の捕捉要求を受信した電話制御装置１では、制御部１６が記憶部１７にアクセスし、回線捕捉キー６３Ｃに割り付けられた電話回線およびＩＰ回線４０のチャネルの使用状況を調べる。その結果、その電話回線が使用中であり（図８：ステップ１０２，ＹＥＳ）、そのＩＰ回線４０のチャネルが使用中でない場合（図９：ステップ１３０，ＮＯ）、スイッチ１２を制御し、そのチャネルを捕捉する（図９：ステップ１３１）。
ここで制御部１６は記憶部１７に再度アクセスし、捕捉したＩＰ回線４０のチャネルに関する記録を更新する。そして、操作電話機２に対してＩＰ回線４０のチャネルの捕捉成功を表示する旨の捕捉成功表示信号を送信するとともに、電話回線を使用中の電話機２を除くその他の電話機２に対して電話回線およびＩＰ回線４０のチャネルの両方が使用中であることを表示する旨の両回線使用中表示信号を送信する。
【００４０】
電話制御装置１から捕捉成功表示信号を受信した操作電話機２では、電話機制御部２５の制御により、図７（ｂ）に示すように回線捕捉キー６３Ｃに対応する回線ランプ６４Ｃを緑色に点灯させ、ＩＰ回線４０のチャネルの捕捉に成功したことを表示する。その一方、電話制御装置１から両回線使用中表示信号を受信した他の電話機２では、やはり電話機制御部２５の制御により、捕捉されたチャネルに対応する回線ランプを黄色に点滅させ、その回線ランプに対応する回線捕捉キーに割り付けられた電話回線およびＩＰ回線４０のチャネルの両方が使用中であることを表示する（図９：ステップ１３２）。その後、ステップ１２４へ移行する。
なお、ステップ１３０において、回線捕捉キー６３Ｃに割り付けられたＩＰ回線４０のチャネルが使用中の場合には（図９：ステップ１３０，ＹＥＳ）、回線の捕捉要求を拒絶して動作を終了する。
【００４１】
以上説明したように、本実施の形態では、電話回線３０およびＩＰ回線４０の使用状況を区別可能なように表示する回線ランプ６４Ａ〜６４Ｆを電話機２に設けることにより、ＩＰ回線４０の使用状況を適切に表示できる。
また、電話回線の使用状況の表示とＩＰ回線４０のチャネルの使用状況の表示とで同一の回線ランプを共用することにより、電話回線用とは別にＩＰ回線用の回線ランプを設ける必要がない。加えて、電話回線３０の捕捉操作とＩＰ回線４０の捕捉操作とを同一の回線捕捉キーで行なうようにしたので、電話回線用とは別にＩＰ回線用の回線捕捉キーを設ける必要がない。よって、電話機２の狭いスペースを有効に活用できるようになる。
【００４２】
なお、回線ランプ６４Ａ〜６４Ｆのそれぞれに電話回線３０の一回線およびＩＰ回線４０の一チャネルが割り付けた例を示したが、回線ランプのそれぞれに電話回線３０の複数回線およびＩＰ回線４０の複数チャネルが割り付けてもよい。また、回線ランプ毎に電話回線３０およびＩＰ回線４０の両方、電話回線３０のみ複数回線、ＩＰ回線４０のみ複数チャネルを割り付けてもよい。また、回線ランプのそれぞれにＩＰ回線４０の一チャネルのみを割り付けてもよい。
【００４３】
（第２の実施の形態）
図１０は、本発明の第２の実施の形態に係る電話システムを構成する電話機の外観の一例を示す平面図である。この図では、図３（ａ）における部材と同一部材を、同一符号で示している。
本実施の形態における電話機２Ａには、回線の捕捉操作を行なうための回線捕捉キーがＩＰ回線４０および電話回線３０のそれぞれに対して一個ずつ設けられている。両者を区別するため、ＩＰ回線用をＩＰ回線捕捉キー７１、電話回線用を電話回線捕捉キー７３と呼ぶ。
【００４４】
回線の使用状況を表示する回線ランプ（表示器）もまた、ＩＰ回線４０および電話回線３０のそれぞれに対して一個ずつ設けられており、同様にＩＰ回線用をＩＰ回線ランプ７２、電話回線用を電話回線ランプ７４と呼ぶ。ただし、ＩＰ回線ランプ７２および電話回線ランプ７４は、それぞれの回線が捕捉可能か否か、さらに捕捉操作に基づく捕捉成功を表示する。これらの表示は、ランプの発光色の切り換え、点灯状態の切り換え、またはこれらの組合せにより行なうことができる。
【００４５】
例えば、回線ランプ７２，７４のそれぞれを赤・緑・黄の三色で発光するＬＥＤで形成し、三色のＬＥＤを点灯および消灯を電話機制御部２５で切り換えることにより、図１１に示すような回線の使用表示か可能になる。この例では、回線ランプの消灯はＩＰ回線４０の全チャネルまたは電話回線３０の全回線が未使用であり自機による捕捉が可能であること、黄点灯は一部のチャネルまたは回線が他機により使用中であるものの自機による捕捉が可能であること、赤点灯は全チャネルまたは全回線が他機により使用中で捕捉不可能であること、緑点灯は自機による回線捕捉が成功したことをそれぞれ表している。なお、回線の使用状況の表示方法はこれに限られるものではなく、例えばランプの発光色の階調を変更したり、ランプの点滅周期を変更するなどして、回線の使用状況を区別するようにしてもよい。
【００４６】
上述した電話機２Ａを収容する電話制御装置１の構成は図１とほぼ同じであるが、制御部１６のコンピュータとプログラム１８とを協働させることにより、ＩＰ回線４０または全電話回線３０の使用状況を基に捕捉可能なＩＰ回線４０のチャネルまたは電話回線があるか否かを判定する判定機能と、その判定結果に応じて回線ランプ７２，７４の表示を制御する表示制御機能と、電話機２Ａの捕捉操作を検出すると捕捉可能なＩＰ回線４０のチャネルまたは電話回線を自動選択して捕捉する回線自動選択捕捉機能とを少なくとも実現する。
【００４７】
次に、本実施の形態に係る電話システムの動作について説明する。本実施の形態では、捕捉回線の選択動作および回線使用状況の表示動作がＩＰ回線４０と電話回線３０とでほぼ同じであるから、ここでは図１２を参照しＩＰ回線４０を例にした説明を行なう。図１２は、ＩＰ回線４０の捕捉からその切断までの一連の動作の流れを示すフローチャートである。
電話機２ＡのＩＰ回線捕捉キー７１を一回押下すると（図１２：ステップ１４１，ＹＥＳ）、この捕捉操作を電話機制御部２５が検出し、ＩＰ回線４０の捕捉要求を電話制御装置１へ送信する。
【００４８】
このＩＰ回線４０の捕捉要求を受信した電話制御装置１では、制御部１６が記憶部１７にアクセスし、ＩＰ回線４０の使用状況を基に捕捉可能な空いているチャネルがあるか否かを判定する。空いているチャネルがあると判定した場合には（図１２：ステップ１４２，ＹＥＳ）、空いているチャネルの少なくとも一つを自動選択して捕捉する（図１２：ステップ１４３）。なお、空いているチャネルがないと判定した場合には（図１２：ステップ１４２，ＮＯ）、ＩＰ回線４０の捕捉要求を拒絶して動作を終了する。
【００４９】
ステップ１４３でＩＰ回線４０のチャネルを捕捉したら、制御部１６は記憶部１７に再度アクセスし、捕捉したチャネルに関する記録を更新するとともに、まだ空いているチャネルがあるか否かを判定する。まだ空いているチャネルがあると判定した場合には（図１２：ステップ１４４，ＹＥＳ）、捕捉操作を行なった電話機（以下、操作電話機という）２Ａに対してＩＰ回線４０のチャネルの捕捉成功を表示する旨の捕捉成功表示信号を送信するとともに、その他の電話機２Ａに対して捕捉可能な空いているチャネルがあることを表示する旨の捕捉可能表示信号を送信する。
【００５０】
電話制御装置１から捕捉成功表示信号を受信した操作電話機２Ａでは、電話機制御部２５の制御によりＩＰ回線ランプ７２を緑色に点灯させ、ＩＰ回線４０のチャネルの捕捉に成功したことを表示する。その一方、電話制御装置１から捕捉可能表示信号を受信した他の電話機２Ａでは、やはり電話機制御部２５の制御によりＩＰ回線ランプ７２を黄色に点灯させ、ＩＰ回線４０の一部のチャネルが他機により使用中であるものの自機による捕捉が可能であることを表示する（図１２：ステップ１４５）。
【００５１】
これに対し、ステップ１４４において、ＩＰ回線４０にもう空いているチャネルがないと判定した場合には（図１２：ステップ１４４，ＮＯ）、操作電話機２Ａに対して捕捉成功表示信号を送信するが、その他の電話機２Ａに対しては全チャネルが使用中であることを表示する旨の捕捉不可能表示信号を送信する。
電話制御装置１から捕捉成功表示信号を受信した操作電話機２Ａでは、電話機制御部２５の制御によりＩＰ回線ランプ７２を緑色に点灯させ、ＩＰ回線４０のチャネルの捕捉に成功したことを表示する。その一方、電話制御装置１から捕捉不可能表示信号を受信した他の電話機２Ａでは、電話機制御部２５の制御によりＩＰ回線ランプ７２を赤色に点灯させ、ＩＰ回線４０の全チャネルが他機により使用中で捕捉不可能であることを表示する（図１２：ステップ１５１）。
【００５２】
ステップ１４４，１５１においてＩＰ回線ランプ７２の点灯制御をした後、捕捉されたＩＰ回線４０のチャネルを介して通話が行われたとする（図１２：ステップ１４６）。
操作電話機２Ａでのオンフックによる終話要求を電話制御装置１で受信すると（図１２：ステップ１４７，ＹＥＳ）、電話制御装置１では制御部１６が捕捉されているＩＰ回線４０のチャネルを切断する（図１２：ステップ１４８）。そして、記録部１７にアクセスし、切断したチャネルに関する記録を更新するとともに、使用中のチャネルがあるか否かを判定する。使用中のチャネルがないと判定した場合には（図１２：ステップ１４９，ＮＯ）、すべての電話機２Ａに対してＩＰ回線４０の全チャネルが未使用であることを表示する旨の全チャネル未使用表示信号を送信する。
【００５３】
電話制御装置１から全チャネル未使用表示信号を受信したすべての電話機２Ａでは、電話機制御部２５の制御によりＩＰ回線ランプ７２を消灯させ、ＩＰ回線４０の全チャネルが未使用であり自機による捕捉が可能であることを表示して（図１２：ステップ１５０）、一連の表示制御を終了する。
【００５４】
これに対し、ステップ１４９において、ＩＰ回線４０に使用中のチャネルがあると判定した場合には（図１２：ステップ１４９，ＹＥＳ）、ＩＰ回線４０のチャネルを使用していない電話機２Ａに対して、捕捉可能な空いているチャネルがあることを表示する旨の捕捉可能表示信号を送信する。これにより、電話制御装置１から捕捉可能表示信号を受信した他の電話機２Ａでは、やはり電話機制御部２５の制御によりＩＰ回線ランプ７２を黄色に点灯させ、ＩＰ回線４０の一部のチャネルが他機により使用中であるものの自機による捕捉が可能であることを表示して（図１２：ステップ１５２）、一連の表示制御を終了する。
【００５５】
以上説明したように、本実施の形態では、ＩＰ回線４０のチャネルが捕捉可能か否かを表示する回線ランプ７２を電話機２Ａに設けることにより、ＩＰ回線４０の使用状況を適切に表示できる。
また、回線ランプ７２，７４に回線が捕捉可能か否かを表示させるようにしたので、回線ランプをＩＰ回線および電話回線のそれぞれに対して一個ずつ設ければよく、収容回線数分の回線ランプを設ける必要がない。加えて、電話制御装置１で捕捉操作を検出すると空いているＩＰ回線のチャネルまたは電話回線を自動選択して捕捉するようにしたので、回線捕捉キーをＩＰ回線および電話回線のそれぞれに対して一個ずつ設ければよく、収容回線数分の回線捕捉キーを設ける必要がない。よって、電話機２Ａの狭いスペースを有効に活用できるようになる。
【００５６】
（第３の実施の形態）
図１３は、本発明の第３の実施の形態に係る電話システムを構成する電話機の外観の一例を示す平面図である。この図では、図３（ａ）における部材と同一部材を、同一符号で示している。
図１３（ａ）に示すように、本実施の形態における電話機２Ｂには、ＩＰ回線４０の捕捉操作を行なうためのＩＰ回線捕捉キー８１と、ＩＰ回線４０で使用中のチャネルの数を表示するＩＰ回線表示器８２とが一個ずつ設けられている。
ＩＰ回線表示器８２は、例えば図３（ｂ）に示すようにＩＰ回線４０に設定可能なチャネルの最大数のランプ８２Ａ，８２Ｂ，８２Ｃ，８２Ｄ，８２Ｅ，８２Ｆを有し、このうち使用中のチャネルと同数のランプを点灯させることにより、使用チャネル数をレベルメータのように表示する。
【００５７】
上述した電話機２Ｂを収容する電話制御装置１の構成は図１とほぼ同じであるが、制御部１６のコンピュータとプログラム１８とを協働させることにより、ＩＰ回線４０の使用状況を基に使用中のチャネルの数を求めるチャネル数検出機能と、求められた使用チャネル数に基づきＩＰ回線表示器８２の表示を制御する表示制御機能と、電話機２Ｂの捕捉操作を検出すると捕捉可能なＩＰ回線４０のチャネルを自動選択して捕捉するチャネル自動選択捕捉機能とを少なくとも実現する。
なお、図１３（ａ）には電話機２Ｂに電話回線用の回線捕捉キー８３および回線ランプが各電話回線３０に対応付けて複数個ずつ設けられている例を示したが、ＩＰ回線用と同様に回線捕捉キーおよび回線表示器を一個ずつ設けるとともに、電話制御装置１で同様の制御を行なうようにしてもよい。
【００５８】
次に、図１４を参照し、本実施の形態に係る電話システムの動作について説明する。図１４は、ＩＰ回線４０の捕捉からその切断までの一連の動作の流れを示すフローチャートである。
電話機２ＢのＩＰ回線捕捉キー８１を一回押下すると（図１４：ステップ１５１，ＹＥＳ）、この捕捉操作を電話機制御部２５が検出し、ＩＰ回線４０の捕捉要求を電話制御装置１へ送信する。
【００５９】
このＩＰ回線４０の捕捉要求を受信した電話制御装置１では、制御部１６が記憶部１７にアクセスし、ＩＰ回線４０の使用状況を基に捕捉可能な空いているチャネルがあるか否かを判定する。空いているチャネルがあると判定した場合には（図１４：ステップ１５２，ＹＥＳ）、空いているチャネルの少なくとも一つを自動選択して捕捉する（図１４：ステップ１５３）。なお、空いているチャネルがないと判定した場合には（図１４：ステップ１５２，ＮＯ）、ＩＰ回線４０の捕捉要求を拒絶して動作を終了する。
【００６０】
ステップ１５３でＩＰ回線４０のチャネルを捕捉したら、制御部１６は記憶部１７に再度アクセスし、捕捉したチャネルに関する記録を更新するとともに、ＩＰ回線４０の使用状況を基に使用中のチャネルの数を求める。そして、電話機２ＢのＩＰ回線表示器８２に使用中のチャネル数に対応する数のランプを点灯させる旨の表示信号を、すべての電話機２Ｂへ送信する。
電話制御装置１から表示信号を受信したすべて電話機２Ｂでは、電話機制御部２５の制御により、ＩＰ回線表示器８２に使用中のチャネル数に対応する数のランプを点灯させる（図１４：ステップ１５４）。例えば、ＩＰ回線４０の三チャネルが使用中の場合、図１３（ｂ）の向かって左側から三個のランプ８２Ａ，８２Ｂ，８２Ｃを点灯させる。こうしたＩＰ回線表示器８２のランプの点灯により、電話機２Ｂの利用者はＩＰ回線４０に捕捉可能なチャネルがあるか否かかを知ることができる。
【００６１】
ステップ１５４においてＩＰ回線表示器８２の点灯制御をした後、捕捉されたＩＰ回線４０のチャネルを介して通話が行われたとする（図１４：ステップ１５５）。
操作電話機２Ｂでのオンフックによる終話要求を電話制御装置１で受信すると（図１４：ステップ１５６，ＹＥＳ）、電話制御装置１では制御部１６が捕捉されているＩＰ回線４０のチャネルを切断する（図１４：ステップ１５７）。
続いて、制御部１６が記憶部１７に再度アクセスし、切断したチャネルに関する記録を更新するとともに、ＩＰ回線４０の使用状況を基に使用中のチャネルの数を求め、その結果に基づく表示信号をすべての電話機２Ｂへ送信する。
電話制御装置１から表示信号を受信したすべて電話機２Ｂでは、電話機制御部２５の制御により、ＩＰ回線表示器８２に使用中のチャネル数に対応する数のランプを点灯させ（図１４：ステップ１５８）、一連の表示制御を終了する。
【００６２】
以上説明したように、本実施の形態では、ＩＰ回線４０で使用中のチャネル数を表示するＩＰ回線表示器８２を電話機２Ｂに設けることにより、ＩＰ回線４０の使用状況を適切に表示できる。
また、ＩＰ回線表示器８２にＩＰ回線４０の使用チャネル数を表示させるようにしたので、ＩＰ回線表示器８２を一個設ければよく、収容回線数分の回線ランプを設ける必要がない。加えて、電話制御装置１で捕捉操作を検出するとＩＰ回線４０の空いているチャネルを自動選択して捕捉するようにしたので、ＩＰ回線捕捉キー８１を一個設ければよく、収容チャネル数分のＩＰ回線捕捉キーを設ける必要がない。よって、電話機２Ｂの狭いスペースを有効に活用できるようになる。
【００６３】
なお、ＩＰ回線表示器８２で使用中のチャネルと同数のランプを点灯させる例を示したが、１個のランプで複数チャネルの使用表示を行ってもよい。例えば、ＩＰ回線４０に１２チャネルを設定可能な場合には、６個のランプ８２Ａ〜８２Ｆを含むＩＰ回線表示器８２において、２チャネルが使用されているときにランプを１個点灯させる。
これとは逆に、一つのチャネルの使用表示を複数個のランプで行ってもよい。例えば、ＩＰ回線４０に３チャネルを設定可能な場合には、６個のランプ８２Ａ〜８２Ｆを含むＩＰ回線表示器８２において、１チャネルが使用されているときにランプを２個点灯させる。
【００６４】
また、ＩＰ回線表示器８２において、ＩＰ回線４０で使用中のチャネル数をランプの点灯数で表示する例を示したが、ＩＰ回線表示器をいわゆる無限色表示ダイオードなど二色以上で発光するランプで形成し、使用中のチャネル数をランプの発光色で表示するようにしてもよい。また、ＩＰ回線表示器を蛍光表示管やＬＣＤなどで形成し、使用中のチャネル数を数字で表示するようにしてもよい。
また、ＩＰ回線４０で使用中のチャネル数ではなく、捕捉可能なチャネル数を表示するようにしてもよい。
また、ＩＰ回線４０で使用中のチャネル数に加えて、ＩＰ回線４０の捕捉成功またはＩＰ回線の全チャネルが使用中であることなどを、ランプの発光色または点灯状態を切り換えて表示するようにしてもよい。
【００６５】
なお、本発明は、ＩＰ回線４０を少なくとも一チャネルまたは電話回線３０を少なくとも一回線収容する電話システムにも適用することができる。また、少なくとも一つの電話機２を収容する電話システムにも適用することができる。
【００６６】
【発明の効果】
以上説明したように、本発明では、ＩＰ回線および電話回線の使用状況を区別可能なように表示する表示器を電話機に設けることにより、ＩＰ回線の使用状況を適切に表示できるようになる。また、同一の表示器をＩＰ回線の使用状況の表示と電話回線の使用状況の表示とで共用することにより、ＩＰ回線の使用状況を表示するためだけに電話機のスペースを割く必要がなくなる。
また、本発明では、ＩＰ回線のチャネルが捕捉可能か否かを表示する表示器を電話機に設けることにより、ＩＰ回線の使用状況を適切に表示できるようになる。また、チャネル数に対応した数の表示器を設ける必要がなくなるので、ＩＰ回線の使用状況を電話機の小さいスペースで表示することができる。
また、本発明では、ＩＰ回線で使用中のチャネル数または捕捉可能なチャネル数を表示する表示器を電話機に設けることにより、ＩＰ回線の使用状況を適切に表示できるようになる。また、チャネル数に対応した数の表示器を設ける必要がなくなるので、ＩＰ回線の使用状況を電話機の小さいスペースで表示することができる。
【図面の簡単な説明】
【図１】本発明の第１の実施の形態に係る電話システムの全体構成を示すブロック図である。
【図２】電話機の構成を示すブロック図である。
【図３】電話機の外観の一例を示す平面図である。
【図４】回線の使用表示例を示す図である。
【図５】電話回線を使用する場合の捕捉操作を説明するための図である。
【図６】ＩＰ回線を使用する場合の捕捉操作の一例を説明するための図である。
【図７】ＩＰ回線を使用する場合の捕捉操作の他の例を説明するための図である。
【図８】回線の捕捉からその切断までの一連の動作の流れを示すフローチャートである。
【図９】回線の捕捉からその切断までの一連の動作の流れを示すフローチャートである。
【図１０】本発明の第２の実施の形態に係る電話システムを構成する電話機の外観の一例を示す平面図である。
【図１１】ＩＰ回線の使用表示例を示す図である。
【図１２】ＩＰ回線の捕捉からその切断までの一連の動作の流れを示すフローチャートである。
【図１３】本発明の第３の実施の形態に係る電話システムを構成する電話機の外観の一例を示す平面図である。
【図１４】ＩＰ回線の捕捉からその切断までの一連の動作の流れを示すフローチャートである。
【符号の説明】
１…電話制御装置、２，２Ａ，２Ｂ…電話機、３…電話網、４…ＩＰネットワーク、１１…電話網接続部、１２…スイッチ、１３…電話機接続部、１４…データ／音声変換部、１５…ＩＰネットワーク接続部、１６…制御部、１７…記憶部、１８…プログラム、２０…内線伝送路、２１…データ伝送部、２２…音声処理部、２３…ハンドセット、２４…ブザー、２５…電話機制御部、２６…記憶部、２７…プログラム、２８…操作部、２９…表示部、３０…電話回線、４０…ＩＰ回線、６１…液晶ディスプレイ、６２…ダイヤルキー、６３，６３Ａ〜６３Ｆ…回線捕捉キー、６４Ａ〜６４Ｆ…回線ランプ、７１，８１…ＩＰ回線捕捉キー、７２…ＩＰ回線ランプ、７３，８３…電話回線捕捉キー、７４…電話回線ランプ、８２…ＩＰ回線表示部、８２Ａ〜８２Ｆ…ランプ。
【図１】
2004096465.tif 000003
【図２】
2004096465.tif 000004
【図３】
2004096465.tif 000005
【図４】
2004096465.tif 000006
【図５】
2004096465.tif 000007
【図６】
2004096465.tif 000008
【図７】
2004096465.tif 000009
【図８】
2004096465.tif 000010
【図９】
2004096465.tif 000011
【図１０】
2004096465.tif 000012
【図１１】
2004096465.tif 000013
【図１２】
2004096465.tif 000014
【図１３】
2004096465.tif 000015
【図１４】
2004096465.tif 000016